(57)【要約】【課題】相手側コネクタとの係合又は離脱操作が安定し、組立化が簡単であるロック付きコネクタを提供する。【解決手段】コンタクトを装着されたコネクタ本体と、取付部を有する収容空間が形成されたフードと、相手側コネクタに係合するためのロック部材と、前記フードに取り付けた操作部材とを含むロック付きコネクタにおいて、前記フードの幅方向の両側には、前記収容空間に連通する取付口がそれぞれ貫通するように形成され、前記コネクタ本体とロック部材が前記フードの収容空間に収容し、前記ロック部材は先端が収容空間に突出するとともに後端が前記フードの取付口に対応し、前記操作部材は前記フードの取付口に対応するように取り付けて前記ロック部材に係合するように固定している。操作部材がフードの取付口に収容することによってロック部材が直ちに固持することで、組立化が簡単になるとともに、相手側コネクタとの係合又は離脱操作が安定している。【選択図】図６
2008181878.tif 000002
【特許請求の範囲】
【請求項１】
コンタクトを装着されたコネクタ本体と、
取付部を有する収容空間が形成されたフードと、
相手側コネクタに係合するためのロック部材と、
前記フードに取り付けた操作部材と
を含むロック付きコネクタにおいて、
前記フードの幅方向の両側には、前記収容空間に連通する取付口がそれぞれ貫通するように形成され、前記コネクタ本体及び前記ロック部材が前記フードの収容空間に収容し、
前記ロック部材は、先端が前記収容空間に突出するとともに後端が前記フードの前記取付口に対応し、
前記操作部材は、前記フードの前記取付口に対応するように取り付けて前記ロック部材に係合するように固定していることを特徴とするロック付きコネクタ。
【請求項２】
前記フードは一体に成型されたことを特徴とする、請求項１に記載のロック付きコネクタ。
【請求項３】
前記コネクタ本体は、金属薄板により作られたバックシェルを有し、バックシェルは前記コネクタ本体の両側に位置する側板部と、前記側板部から前向きに延在するように前記収容空間に突出するロックアームとを含み、前記操作部材が前記側板部に保持され、前記側板部及び前記ロックアームが前記ロック部材からなることを特徴とする、請求項１または２に記載のロック付きコネクタ。
【請求項４】
前記側板部の前記フードの前記取付口に対応する箇所には通孔が形成され、前記操作部材は、操作ボタンと前記側板部の前記通孔に係合するための係止アームとを含むことを特徴とする、請求項３に記載のロック付きコネクタ。
【請求項５】
前記操作部材の前記係止アームの隣接した箇所に前記側板部に押圧するための接触部を設けられることを特徴とする、請求項４に記載のロック付きコネクタ。
【請求項６】
前記側板部の前記フードの前記取付口に対応する箇所には延在片が形成され、前記操作部材は前記操作ボタンと前記取付口に収容する固定部とを有し、前記固定部に前記延在片に係合するための装着溝が形成されることを特徴とする、請求項３に記載のロック付きコネクタ。
【請求項７】
前記操作部材は前記操作ボタンを備え、前記取付口に前記操作ボタンの一側に当接することにより前記操作部材を前記フードの前記収容空間に陥れることが防止するための当接壁が設けられることを特徴とする、請求項１または２に記載のロック付きコネクタ。
【発明の詳細な説明】
【技術分野】
【０００１】
本発明はコネクタに関し、特に、相手側コネクタに係合するロック付きコネクタに関するものである。
【背景技術】
【０００２】
従来技術は特許文献１に示すように、従来のロック付きコネクタは、複数本並設された導電性のコンタクトが装着されたコネクタ本体と、コネクタ本体の周囲に設けられたＥＭＩ対策ための導電性の下部バックシェル及び上部バックシェルと、最外周に位置した絶縁性のフードと、フードに回動自由に取り付けられたロック部材とを備えて構成され、前記コンタクトがケーブルの導電芯線に接続している。前記ロック部材はバックシェルの両側に位置し、先端に相手側コネクタに係合するためのロックアームと、後端にフードの切口に突出する操作部と、前記バックシェルに支持する、回動用軸支点としての弾性片と、を含み、前記弾性片がロック部材の後端から斜めに延在するように形成される。
【特許文献１】中国実用新案登録第２７８５１８５号明細書
【発明の開示】
【発明が解決しようとする課題】
【０００３】
ロック付きコネクタでは、これを相手側コネクタと嵌合させた状態において離脱する場合には、前記操作部を作業者が例えば親指と人指し指で挟んでフードの幅方向、つまりロック付きコネクタ内側方向に押圧することで、前記弾性片のバックシェルに当接する点が回動用軸支点としてロック部材を回動させ、ロックアームによる相手側コネクタとの係合を外している。しかしながら、従来のロック付きコネクタのロック部材が多数の操作してから、ロック部材の弾性片が変形し傾斜な角度が小さくなってしまうという問題があった。さらに、ロック付きコネクタ内側方向に押圧しても、ロック付きコネクタと相手側コネクタとの離脱操作が行うことができない恐れがあった。そこで、上述した欠点に鑑みて、新型なロック付きコネクタを開発することが必要である。
【０００４】
本発明は、相手側コネクタとの係合または離脱操作が安定し、組立化が簡単であるロック付きコネクタを提供することを目的とする。
【課題を解決するための手段】
【０００５】
前記目的を達成するために、本発明によれば、コンタクトを装着されたコネクタ本体と、取付部を有する収容空間が形成されたフードと、相手側コネクタに係合するためのロック部材と、前記フードに取り付けた操作部材とを含むロック付きコネクタにおいて、前記フードの幅方向の両側には、前記収容空間に連通する取付口がそれぞれ貫通するように形成され、前記コネクタ本体とロック部材が前記フードの収容空間に収容し、前記ロック部材は先端が収容空間に突出するとともに後端が前記フードの取付口に対応し、前記操作部材は、前記フードの取付口に対応するように取り付けて前記ロック部材に係合するように固定している。
【発明の効果】
【０００６】
従来の技術に比べると、本発明は以下の長所がある。本発明の操作部材は、フードの取付口に収容することによってロック部材が直ちに固持することで、組立化が簡単になるとともに、相手側コネクタとの係合または離脱操作が安定している。
【発明を実施するための最良の形態】
【０００７】
図１〜図６に基づいて、本発明のロック付きコネクタについての第１実施形態を説明する。本発明のロック付きコネクタはコネクタ本体１と、コネクタ本体１の周囲に設けられた上部バックシェル１２及び下部バックシェル１３と、前記コネクタ本体と上下部バックシェルとを保持するための保持部材２と、最外周に位置した絶縁性のフード３と、前記コネクタ本体１に連接するケーブル部材６と、フード３に取付られた一対の操作部材４と、を含む。
【０００８】
図２を参照すると、前記コネクタ本体１は複数本並設された導電性のコンタクト１０と、コンタクトを装着された絶縁本体１１と、を含む。前記絶縁本体１１は、基部１１１と基部１１１から前向きに延在するように形成される舌片部１１２と、両端部に形成された収容溝１１３と、を含む。基部１１１は、両側に凸部１１４が形成され、頂面１１５に突起１１６と突起１１６の両側に位置する凹部１１７が形成され、底面に凹溝１１８が形成される。
【０００９】
前記上下バックシェル１２、１３は弾性を有する金属薄板を所定の形状に加工して作られるものである。その上バックシェル１２は、互いに平行な第１平板部１２１と第２平板部１２２と、第１平板部１２１及び第２平板部１２２の両端部を連接する連接部（参照記号なし）とを有する。第２平板部１２２に後向きに延在するように形成された係合板部１２３を有し、係合板部１２３には絶縁本体１１の突起１６及び凹部１７にそれぞれ対応する固持孔１２４、１２５が形成される。該上バックシェル１２は絶縁本体１１の外周を覆い、前記係合板部１２３が絶縁本体１１の頂面１１５に貼付け、突起１６が固持孔１２４に対応するように係合し、凹部１７が固持孔１２５に対応している。第１平板部１２１は、先端に絶縁本体１１の凹溝１１８に対応する開口１２６が形成され、後端に垂直に延在するよう形成された係合片１２７、１２８が形成され、係合片１２８には突出片が斜めに延在するように形成される。
【００１０】
図２と図４を参照すると、前記下バックシェル１３は、第３平板部１３１と、該第３平板部１３１に正交する側板部１３２とを有し、第３平板部１３１の先端側に絶縁本体の凸部１１４に係合するための係止部１３３が形成され、後端に上バックシェル１２の係合片１２７、１２８に係合するための係合部１３４、１３５が形成される。前記側板部１３２は、中部に通孔１３６が形成され、後端に前記第３平板部１３１に連接し、先端にロックアーム１３７が折り曲がって延在するように形成され、前記側板部１３２とロックアーム１３７は、ロック部材からなる。下バックシェル１３は絶縁本体１１の外側を覆い、第３平板部１３１が絶縁本体１１の基部１１１に覆い、前記ロックアーム１３７が絶縁本体１１の収容溝１１３に対応するように収容され、係止部１３３が絶縁本体１１の凸部１４に係合し、係合部１３４、１３５が第１平板部１２１の係合片１２７、１２８に係合している。
【００１１】
こうして、前記絶縁本体１１と、上バックシェル１２と下バックシェル１３とはコネクタ本体１からなり、絶縁本体１１を上バックシェル１２と下バックシェル１３とにより挟み込み固定する。該コネクタ本体１は、主体部と主体部から延在するように形成される対接嵌合部１４とを含み、対接嵌合部１４は上下バックシェル１２、１３が覆われた絶縁本体１１の舌片部１１２が構成され、対接嵌合部１４の厚さが主体部の厚さより小さいので、対接嵌合部１４と主体部の隣接した上下方向の箇所には階段部１５がそれぞれ形成される。また、互いに対応した絶縁本体１１の凹部１１７と上バックシェル１２の固持孔１２５がコネクタ本体１の固持溝１６からなり、互いに対応した絶縁本体１１の凹溝１１８と上バックシェル１２の開口１２６がコネクタ本体１の干渉溝１７からなる。
【００１２】
図３と図４を参照すると、保持部材２は互いに組み合ったコ字形状をそれぞれ呈する第１保持部２１と第２保持部２２とを有し、前記第１保持部２１及び第２保持部２２の長手方向の外側面に当接部２１１、２２１がそれぞれ形成され、前記当接部２１１、２２１に対応した内側面に凸状リブ２１２、２２２が形成され、且つ第１保持部２１と第２保持部２２は、長手方向の外側面に凸起２１５、２２５がそれぞれ形成され、長手方向の内側面には当接凸部２１３、２２３が形成される。第１保持部２１の両側壁には保持溝２１４がそれぞれ形成され、第２保持部２２の両側壁には前記保持溝２１４に対応するように係合するための錠止部２２４がそれぞれ形成される。使用する際に、該保持部材２はコネクタ本体１を第１保持部２１と第２保持部２２とにより挟み込み保持する。この場合には、第２保持部２２はコネクタ本体１の下表面に位置するとともに、当接凸部２２３がコネクタ本体１の干渉溝１７に干渉するように係合し、凸状リブ２２２がコネクタ本体１の下方の階段部１５に当接し、錠止部２２４が第１保持部２１の保持溝２１４に干渉するように収容される。また、第１保持部２１は、コネクタ本体１の上表面に位置し、当接凸部２１３がコネクタ本体１の固持溝１６に係合し、凸状リブ２１２がコネクタ本体１の上方の階段部１５に当接している。こうして、コネクタ本体１の上下バックシェル１２、１３が挟み込まれた基部１１１が第１保持部２１と第２保持部２２の間に挟まれ、対接嵌合部１４が保持部材２の先端に突出している。
【００１３】
フード３は絶縁材料によって一体に形成され、中部には前記保持部材２により挟み込まれたコネクタ本体１を収容するための収容空間が形成され、収容空間の先端が保持部材２を収容するための取付部３１が形成される。前記取付部３１は第１取付開口３１１と第２取付開口３１２とを有し、第１取付開口３１１が第２取付開口３１２より広いので、第１取付開口３１１と第２取付開口３１２の間に階段部（参照記号なし）が形成され、保持部材２の当接部２１１、２２１が前記階段部に当接することによって、保持部材２がフード３の収容空間に過度的に挿入されたことは防止できる。第２取付開口に保持部材２の凸起２１５、２２５に対応した窪み部３１３が形成される。フード３の両側壁に前記収容空間に連通する取付口３２がそれぞれ貫通するように形成され、前記取付部３１に対向した後壁３４にはケーブル部材６の貫通された通孔３３が設けられる。
【００１４】
前記一対の操作部材４はフード３の両側に設けられた取付口３２にそれぞれ組み合い、操作ボタン４１と、操作ボタン４１の一側面の両端にそれぞれ突出するように形成される一対の接触部４２と、一対の接触部４２の間に突出するように設けられる一対の係止アーム４３とを有する。一対の係止アーム４３は略平行に配置され、その自由端部に前記接触部４２より突出した鉤部４４が設けられる。操作部材４がフード３の取付口３２に収容するように組み合い、取付口３２に形成された当接壁（参照記号なし）が操作ボタン４１の一側面に当接することにより操作部材４を取付口３２に収容するとともに操作部材４をフード３の収容空間に陥れることが防止できる。
【００１５】
コネクタ本体１に接続するケーブル部材６は、ケーブル５とケーブル５を包囲し取付るストレス緩衝用部材７とを含む。
【００１６】
実施例のロック付きコネクタの組立は、次の手順で行われる。まず、ケーブル部材６のケーブル５の導体を絶縁本体１１に装着されたコンタクト１０に圧接結線した後、上下バックシェル１２、１３が前記ケーブル部材６をコンタクト１０に圧接結線した絶縁本体１１に挟み込み固定することにより、コネクタ本体１を構成している。前記保持部材２がコネクタ本体１の先端に挟み込み固定した。次に、保持部材２に保持されたコネクタ本体１は先端からフード３の収容空間に組合し、この場合、ケーブル５がフード３の通孔３３を貫通するとともに、前記ケーブル部材６のストレス緩衝用部材７がフード３の後壁３４に貼付け、また、保持部材２の凸起２１５、２２５がフード３の窪み部３１３に対応するように係合することによって、保持部材２がフード３に収容し固定された。最後に、操作部材４をフード３の取付口３２に収容し、操作部材４の係止アーム４３が下バックシェル１３の通孔１３６に挿入するとともに鉤部４４が通孔１３６の縁部に係止することによって、操作部材４が安定し固定され、この時、前記取付口３２の当接壁が操作ボタン４１の側面にまだ当接しない。
【００１７】
ロック付きコネクタを相手側コネクタとのロックを解除して、相手側コネクタから離脱する場合には、例えば作業者がその親指と人指し指により左右操作ボタン４１を押さえながらロック付きコネクタの幅方向に内側に押圧する。つまり、左右操作ボタン４１にロック付きコネクタの幅方向のような力を加える。これに伴って、操作部材４の接触部４２がロック付きコネクタの幅の方向に内側に移動し、接触部４２が下バックシェル１３の側板部１３２にロック付きコネクタの幅の方向に押圧することによって、ロックアーム１３７がロック付きコネクタの幅の方向に内側に変形するように移動し、ロックアーム１３７と相手側コネクタの係止が外れる。
【００１８】
また、本発明についての実施形態は、以上の実施方式に限定されず、例えば図７と図８に示すのは本発明の第２実施状態であり、ロックアームと下バックシェルの側板部からなるロック部材と操作部材を除いて、他の結構が第１実施状態と同じである。図７と図８を参照すると、下バックシェル１３の側板部には突刺１３９を有する延在片１３８がそれぞれ形成され、また、操作部材４は操作ボタン４１と固定部４６とを有し、前記固定部４６に延在片１３８に干渉するように係合するための装着溝４５が形成される。延在片１３８が操作部材４の装着溝４５に干渉し係合することによって、操作部材４が下バックシェル１３に保持される。
【００１９】
本発明の操作部材は、フードの取付口に収容することによってロック部材が直ちに固持することで、組立化が簡単になるとともに、相手側コネクタとの係合または離脱操作が安定している。
【００２０】
以上本発明についてよい実施の形態を参照して詳細に説明したが、実施形態はあくまでも例示的なものであり、これらに限定されるものではない。また前記の説明は、本発明に基づきなしうる細部の修正或は変更など、いずれも本発明の請求範囲に属するものとする。
【図面の簡単な説明】
【００２１】
【図１】本発明に係るロック付きコネクタの第１実施形態の組立斜視図である。
【図２】本発明に係るロック付きコネクタの第１実施形態の分解斜視図である。
【図３】本発明に係るロック付きコネクタの第１実施形態のコネクタ本体の組立斜視図である。
【図４】図３に示すロック付きコネクタの他の角度から見た組立斜視図である。
【図５】本発明に係るロック付きコネクタの第１実施形態のコネクタ本体と保持部材とを固定した組立斜視図である。
【図６】図１に示すロック付きコネクタのＶＩ−ＶＩ線に沿う断面図である。
【図７】本発明に係るロック付きコネクタの第２実施形態の操作部材と下バックシェルの分解斜視図である。
【図８】本発明に係るロック付きコネクタの第２実施形態の操作部材と下バックシェルの組立斜視図である。
【符号の説明】
【００２２】
１  コネクタ本体
１０  コンタクト
１１  絶縁本体
１２  上バックシェル
１３  下バックシェル
１４  対接嵌合部
１５  階段部
１６  固持溝
１７  干渉溝
２１  第１保持部
２２  第２保持部
３１  取付部
３２  取付口
３３  通孔
３４  後壁
４１  操作ボタン
４２  接触部
４３  係止アーム
４４  鉤部
４５  装着溝
４６  固定部
１１１  基部
１１２  舌片部
１１３  収容溝
１１４  凸部
１１５  頂面
１１６  突起
１１７  凹部
１１８  凹溝
１２１  第１平板部
１２２  第２平板部
１２３  係合板部
１２４、１２５  固持孔
１２６  開口
１２７、１２８  係合片
１３１  第３平板部
１３２  側板部
１３３  係止部
１３４、１３５  係合部
１３６  通孔
１３８  延在片
１３９  突刺
２１１、２２１  当接部
２１２、２２２  凸状リブ
２１３、２２３  当接凸部
２１４  保持溝
２２４  錠止部
３１１  第１取付開口
３１２  第２取付開口
３１３  窪み部
【図１】
2008181878.tif 000003
【図２】
2008181878.tif 000004
【図３】
2008181878.tif 000005
【図４】
2008181878.tif 000006
【図５】
2008181878.tif 000007
【図６】
2008181878.tif 000008
【図７】
2008181878.tif 000009
【図８】
2008181878.tif 000010